(57)【特許請求の範囲】
【請求項１】
弦毎に独立した信号より生成した弦毎の演奏データの演奏情報を出力可能なギターシステムが接続されるカラオケ装置であって、
カラオケ演奏のための楽曲データを記憶すると共に、一人の演奏者による単一パートのギター演奏を評価するための、少なくとも弦毎の音高情報及び演奏強度情報を含むリファレンスデータセットを記憶する記憶手段と、
前記記憶手段が記憶する所定の楽曲データを読み出し、当該ギター演奏に対応するギターパートを除いたカラオケ演奏信号として出力する再生処理手段と、
前記ギターシステムより弦毎に独立した信号より生成した演奏データの演奏情報を取得する演奏情報入力部と、
前記取得した演奏情報の弦毎の演奏データと前記記憶手段より読み出した対象楽曲のリファレンスデータセットの弦毎のリファレンスデータとを弦毎に比較して評価する採点評価手段と、を有し、
前記楽曲データ、演奏データ及び各リファレンスデータはＭＩＤＩデータであり、
ギター演奏に係る前記音高情報は少なくともノート情報及びピッチベンド情報を含み、
前記演奏強度情報は少なくともイニシャルベロシティ情報を含む、
ことを特徴とするギターカラオケ採点機能を備えるカラオケ装置。
【請求項２】
請求項１記載のカラオケ装置であって、
前記ギターシステムは前記演奏情報を出力可能であると共に、複数の各弦の楽音信号が混在した楽音信号を出力可能とし、
前記ギターシステムより出力される楽音信号を、前記再生処理手段が出力するカラオケ演奏信号と混合して放音する放音手段を備えることを特徴とするギターカラオケ採点機能を備えるカラオケ装置。
【請求項３】
請求項１記載のカラオケ装置であって、
前記ギターシステムは音源手段を備え、前記演奏情報を出力可能であると共に、当該演奏情報より複数の各弦の楽音信号が混在した楽音信号を生成して出力可能とし、
前記ギターシステムの音源手段より出力される楽音信号を、前記再生処理手段が出力するカラオケ演奏信号と混合して放音する放音手段を備えることを特徴とするギターカラオケ採点機能を備えるカラオケ装置。
【請求項４】
弦毎に独立した信号の演奏情報を出力可能なギターが接続されるカラオケ装置であって、
カラオケ演奏のための楽曲データを記憶すると共に、一人の演奏者による単一パートのギター演奏を評価するための、少なくとも弦毎の音高情報及び演奏強度情報を含むリファレンスデータセットを記憶する記憶手段と、
前記記憶手段が記憶する所定の楽曲データを読み出し、当該ギター演奏に対応するギターパートを除いたカラオケ演奏信号として出力する再生処理手段と、
前記ギターより弦毎に独立した信号の演奏情報を取得する演奏情報入力部と、
前記取得した演奏情報の各信号に基づいて、少なくとも音高情報及び演奏強度情報を含む演奏データを弦毎に生成する演奏データ生成手段と、
前記生成した弦毎の演奏データと前記記憶手段より読み出した対象楽曲のリファレンスデータセットの弦毎のリファレンスデータとを弦毎に比較して評価する採点評価手段と、を有し、
前記ギターは前記演奏情報を出力可能であると共に、複数の各弦の楽音信号が混在した楽音信号を出力可能とし、
前記ギターより出力される楽音信号を、前記再生処理手段が出力するカラオケ演奏信号と混合して放音する放音手段を備えることを特徴とするギターカラオケ採点機能を備えるカラオケ装置。
【発明の詳細な説明】
【技術分野】
【０００１】
本発明は、通常の歌唱によるカラオケ機能に加えて利用者にギター演奏に応じた採点機能を備えるカラオケ装置に関する。
【背景技術】
【０００２】
近年、カラオケ装置の高性能化、高機能化に伴い、楽器演奏をも楽しむ、いわゆる楽器カラオケが普及しつつある。例えば、利用者は、自分が所有するエレキ・ギターをカラオケルームに持ち込み、あるいは備えつけのエレキ・ギターを借りることができ、カラオケ演奏を聴きながら、カラオケ演奏や歌唱音声のための音響装置にエレキ・ギターを接続して放音し、ギター演奏を楽しむことができる。そして、歌唱に対する採点技術を用いて利用者のギター演奏に対して採点を行う技術も提案されており、利用者にはより的確な評価、採点のサービス提供が望まれる。
【０００３】
従来、楽器カラオケ、特にギターカラオケの分野でも、ギター演奏の採点に関する技術がいくつか提案されている。例えば、特許文献１には、周波数変換情報を音名毎の音名レベルに変換し、オクターブ分けされた音名レベルに、当該オクターブ毎に設定された係数にて重み付けを行い、重み付けされた音名レベルを音名毎に統合して音名毎の統合レベルを算出し、所定の統合レベルを有する音名を演奏音名として決定し、当該決定した演奏音名と、楽曲の演奏に応じて演奏手段から出力される基準演奏情報とを比較して評価を行うことにより、弦楽器（ギター）における演奏音を的確に抽出する技術が開示されている。
【０００４】
また、特許文献２には、カラオケ楽曲データを読み出して再生し、対応するコードごとにエレキ・ギターの目標音高データを生成し、エレキ・ギターの演奏信号の周波数成分を抽出してクロマベクトル処理を行うことにより、所定の時間区分ごとの実音高データを生成し、実音高データと対応する目標音高データとの一致度に応じた採点を行うことにより、弦楽器の演奏に対し適正な採点を確実に行う技術が開示されている。
【先行技術文献】
【特許文献】
【０００５】
【特許文献１】特開２０１５−００１５８６号公報
【特許文献２】特開２０１５−００１６２２号公報
【発明の概要】
【発明が解決しようとする課題】
【０００６】
しかしながら、ギター演奏においては、単音のメロディ演奏や定型的なコード演奏以外に、「リフ」と称される、複数の弦を同時に鳴らすことで構成される個性的なフレーズの繰り返し演奏も多く用いられ、このような演奏を評価するには、混合して同時に出力される複数弦（ギターであれば最大６弦）の楽音信号から弦毎の個別の音高情報や音量情報を正確に分離抽出すると共に、複数の弦による演奏をも考慮したリファレンスデータを用意する必要があって実現が困難であるという問題がある。
【０００７】
また、ギター演奏を評価するための上記特許文献１，２に開示されているような従来技術においては、異なる弦により生じた同一音高の楽音信号を区別することができない。すなわち、フレーズ中の任意の音高をオリジナルの奏法と異なる弦で演奏した場合、同一音高でも弦毎に周波数特性が異なるために、オリジナルの演奏者の意図した演奏音にはならず、フレーズの滑らかさにおいてもオリジナルの奏法と異なってしまうが、これらを識別することができないという問題がある。
【０００８】
そこで、本発明は上記課題に鑑みなされたもので、ギター演奏に対して異なる弦で演奏された同一音高の楽音信号を正確に識別し判定することを可能とし、簡易な構成で精度の高い演奏評価を実現するカラオケ装置を提供することを目的とする。
【課題を解決するための手段】
【０００９】
上記課題を解決するために、請求項１の発明では、弦毎に独立した信号より生成した弦毎の演奏データの演奏情報を出力可能なギターシステムが接続されるカラオケ装置であって、カラオケ演奏のための楽曲データを記憶すると共に、一人の演奏者による単一パートのギター演奏を評価するための、少なくとも弦毎の音高情報及び演奏強度情報を含むリファレンスデータセットを記憶する記憶手段と、前記記憶手段が記憶する所定の楽曲データを読み出し、当該ギター演奏に対応するギターパートを除いたカラオケ演奏信号として出力する再生処理手段と、前記ギターシステムより弦毎に独立した信号より生成した演奏データの演奏情報を取得する演奏情報入力部と、前記取得した演奏情報の弦毎の演奏データと前記記憶手段より読み出した対象楽曲のリファレンスデータセットの弦毎のリファレンスデータとを弦毎に比較して評価する採点評価手段と、を有し、前記楽曲データ、演奏データ及び各リファレンスデータはＭＩＤＩデータであり、ギター演奏に係る前記音高情報は少なくともノート情報及びピッチベンド情報を含み、前記演奏強度情報は少なくともイニシャルベロシティ情報を含む構成とする。
【００１１】
請求項２，３の発明では、「前記ギターシステムは前記演奏情報を出力可能であると共に、複数の各弦の楽音信号が混在した楽音信号を出力可能とし、前記ギターシステムより出力される楽音信号を、前記再生処理手段が出力するカラオケ演奏信号と混合して放音する放音手段を備える」構成とし、
「前記ギターシステムは音源手段を備え、前記演奏情報を出力可能であると共に、当該演奏情報より複数の各弦の楽音信号が混在した楽音信号を生成して出力可能とし、前記ギターシステムの音源手段より出力される楽音信号を、前記再生処理手段が出力するカラオケ演奏信号と混合して放音する放音手段を備える」構成とする。
【００１２】
請求項４の発明では、弦毎に独立した信号の演奏情報を出力可能なギターが接続されるカラオケ装置であって、カラオケ演奏のための楽曲データを記憶すると共に、一人の演奏者による単一パートのギター演奏を評価するための、少なくとも弦毎の音高情報及び演奏強度情報を含むリファレンスデータセットを記憶する記憶手段と、前記記憶手段が記憶する所定の楽曲データを読み出し、当該ギター演奏に対応するギターパートを除いたカラオケ演奏信号として出力する再生処理手段と、前記ギターより弦毎に独立した信号の演奏情報を取得する演奏情報入力部と、前記取得した演奏情報の各信号に基づいて、少なくとも音高情報及び演奏強度情報を含む演奏データを弦毎に生成する演奏データ生成手段と、前記生成した弦毎の演奏データと前記記憶手段より読み出した対象楽曲のリファレンスデータセットの弦毎のリファレンスデータとを弦毎に比較して評価する採点評価手段と、を有し、前記ギターは前記演奏情報を出力可能であると共に、複数の各弦の楽音信号が混在した楽音信号を出力可能とし、前記ギターより出力される楽音信号を、前記再生処理手段が出力するカラオケ演奏信号と混合して放音する放音手段を備えるする構成とする。
【発明の効果】
【００１４】
請求項１の発明によれば、ギターシステムより弦毎に独立した信号より生成した演奏データの演奏情報を取得し、当該取得した演奏情報の弦毎の演奏データと記憶手段より読み出した対象楽曲のリファレンスデータセットの弦毎のリファレンスデータとの少なくとも音高情報及び演奏強度情報を弦毎に比較して評価するものであり、楽曲データ、演奏データ及び各リファレンスデータはＭＩＤＩデータとし、ギター演奏に係る音高情報は少なくともノート情報及びピッチベンド情報を含み、演奏強度情報は少なくともイニシャルベロシティ情報を含む構成とすることにより、ギター演奏に対して異なる弦で演奏された同一音高の楽音信号を正確に識別し判定することが可能となり、簡易な構成で精度の高い演奏評価を実現することができると共に、特にピッチベンド情報を含ませることで、ギターに特有のチョーキングなどの演奏情報を伝えるのに好適であり、弦毎のピッチベンド情報でより正確にギターシステムの演奏情報を伝えることができるものである。
【００１６】
請求項２，３の発明によれば、ギターシステムにおいて演奏情報及び複数の各弦の楽音信号が混在した楽音信号を出力可能とし、ギターシステムより出力される楽音信号をカラオケ演奏信号と混合して放音する構成とすることにより、ギターシステムが複数の各弦の楽音信号の混在した楽音信号を出力可能であれば、放音させるための再生の処理を軽減させることができるものである。
【００１７】
請求項４の発明によれば、ギターより弦毎に独立した信号の演奏情報を取得し、取得した演奏情報の各信号に基づいて、少なくとも音高情報及び演奏強度情報を含む演奏データを弦毎に生成し、生成した弦毎の演奏データと記憶手段より読み出した対象楽曲のリファレンスデータセットの弦毎のリファレンスデータとの少なくとも音高情報及び演奏強度情報を弦毎に比較して評価するものであり、ギターより演奏情報及び複数の各弦の楽音信号が混在した楽音信号を出力可能とし、ギターより出力される楽音信号をカラオケ演奏信号と混合して放音する構成とすることにより、上記同様に、ギター演奏に対して異なる弦で演奏された同一音高の楽音信号を正確に識別し判定することが可能となり、簡易な構成で精度の高い演奏評価を実現することができるものであり、ＭＩＤＩデータの出力可能なギターシステムでなくともよく、より多くのギターを利用可能とすることができると共に、ギターが複数の各弦の楽音信号の混在した楽音信号を出力可能であれば、放音させるための再生の処理を軽減させることができるものである。
【図面の簡単な説明】
【００２０】
【図１】本発明に係るカラオケ装置のブロック構成図である。
【図２】図１におけるエレキ・ギターの内部構成のブロック構成図である。
【図３】図１のカラオケ装置におけるギターリファレンスデータの一例の説明図である。
【図４】図１のカラオケ装置における演奏データ生成手段のブロック構成図である。
【図５】図１の遠隔入出力装置によるギター演奏のモード選択に関する説明図である。
【図６】ギター演奏に対する評価等の機能説明図である。
【図７】ギター演奏に対する採点評価の一例の説明図である。
【図８】ギター演奏に対する評価表示の一例の説明図である。
【図９】他の機能を備えるエレキ・ギターが用いられる場合に対応するカラオケ装置の他の実施形態の構成図である。
【図１０】図９のエレキ・ギターによるギター演奏に対する評価等の機能説明図である。
【発明を実施するための形態】
【００２１】
以下、本発明の実施形態を図により説明する。
図１に本発明に係るカラオケ装置のブロック構成図を示すと共に、図２に図１におけるエレキ・ギターの内部構成のブロック構成図を示し、図３に図１のカラオケ装置におけるギターリファレンスデータの一例の説明図を示し、図４に図１のカラオケ装置における演奏データ生成手段のブロック構成図を示す。
【００２２】
図１において、カラオケ装置１１は、主要装置としてのカラオケ本体１２に、有線又は無線で外部接続されるものとして、表示部１３、ミキシングアンプ１４、所定数のマイク１５、スピーカ１６、遠隔入出力装置１７及びエレキ・ギター１８が接続されることで構成される。
【００２３】
上記表示部１３は、通常の楽曲選曲表示やカラオケ演奏時の背景映像等を表示するもので、例えば液晶ディスプレイ（ＬＣＤ）、プラズマディスプレイ（ＰＤＰ）、その他種々のディスプレイを採用することができる。上記ミキシングアンプ１４は、カラオケ本体１２より送られてくる音楽演奏信号に、マイク１５からそれぞれ有線又は無線で入力される音声信号をミキシングし、増幅してスピーカ１６より出力する。当該ミキシングアンプ１４及びスピーカ１６により放音手段を構成する。
【００２４】
上記遠隔入出力装置１７は、図示しない端末送受信部により、カラオケ本体１２に対して有線方式ないし無線方式（ＩＲ方式やブルートゥース（登録商標）機構のピコネット接続方式など）を利用してデータ授受を行うためのもので、少なくとも楽曲検索手段である選曲楽曲登録手段１７Ａ及びリモコン表示部１７Ｃを適宜備え、当該選曲楽曲登録手段１７Ａにはカラオケモード及びギター演奏モードを選択させるモード選択手段１７Ｂを備える。なお、図示しないが会員向けにログイン・ログアウト処理手段を備えている。
【００２５】
上記選曲楽曲登録手段１７Ａは、図５で説明するが再生モード（カラオケモード、ギター演奏モード）を選択するモード選択手段１７Ｂのプログラムを備え、楽曲ＩＤや曲名、アーチスト名などのデータからなるテーブルに基づいて、利用者が所望する楽曲を検索させ、選曲された楽曲の楽曲ＩＤを選択されたモードの情報信号と共にカラオケ本体１２に送信するプログラムである。送信された楽曲ＩＤは、選択したモード情報がカラオケモードの場合には後述のカラオケ本体１２におけるＲＡＭ２３の予約待ち行列４１に登録され、ギター演奏モードの場合にはカラオケ本体１２の音楽演奏制御部２５及び採点評価手段２８に送られる。
【００２６】
上記リモコン表示部１７Ｃは、液晶ディスプレイ（ＬＣＤ）とタッチセンサとを積層して入出力用とし、表示されるアイコン等に対応して当該タッチセンサにより楽曲の選択などのデータを入力することができるＧＵＩのユーザインタフェース機能を有するものである。
【００２７】
エレキ・ギター１８は、弦毎に独立した信号（６弦ピックアップ信号）を出力可能な機能を備える。具体的には、図２（Ａ）に示すように、各弦６１からそれぞれ楽音を検出するそれぞれのピックアップ手段（ｐｉｃ  ｕｐ）を備える第１検出手段６２を有して、図示しない出力端子より出力可能なものである。このようなエレキ・ギター１８には、例えば、６弦ピックアップを備えた信号出力ユニットであるローランド社製の型番「ＧＫ−３」を装着したエレキ・ギターがある。当該エレキ・ギター１８を用いる場合、すなわち６弦ピックアップの出力信号から生成した演奏データを用いてギター演奏を採点評価し、さらに６弦ピックアップの出力信号を用いてギター演奏の楽音信号を生成する場合については図５〜図８及び図９（Ｂ）で説明する。
【００２８】
また通常は、一般的なエレキ・ギターに上記６弦ピックアップを装着することが多く、このようなエレキ・ギター１８においては、図２（Ｂ）に示すように、図２（Ａ）の構成に加えて、複数の各弦の楽音信号が混在した楽音信号をピックアップ（シングル・タイプ×３）により検出して出力する第２検出手段６３を有して、図示しない出力端子より出力可能としている。このようなエレキ・ギター１８としては、例えばローランド社とフェンダー社が共同開発した型番「ＧＣ−１」のギターがある。当該エレキ・ギター１８を用いる場合、すなわち付加された６弦ピックアップの出力信号から生成した演奏データを用いてギター演奏を採点評価し、さらに一般的なエレキ・ギターが有するピックアップで検出した楽音信号をそのままギター演奏音として出力する場合を図５〜図８及び図９（Ａ）で説明する。
【００２９】
上記カラオケ本体１２は、バス２０、中央制御部２１、ＲＯＭ２２、ＲＡＭ２３、映像表示制御手段２４、音楽演奏制御部２５、音源（シンセサイザ）２６、音声信号入力部２７、採点評価手段２８、送受信部２９、記憶部３０、演奏情報入力部３１及び演奏データ生成手段３２を備える。音楽演奏制御部２５及び音源（シンセサイザ）２６により再生処理手段が構成される。
【００３０】
上記ＲＡＭ２３には予約待ち行列４１の記憶領域が形成される。また、記憶部３０には、楽曲データベース（楽曲ＤＢ）５１、映像データベース（映像ＤＢ）５２、歌唱を対象としたリファレンスデータベース（リファレンスＤＢ）５３及びギター演奏を対象としてギターリファレンスデータベース（ギターリファレンスＤＢ）５４が記憶される。なお、上記各構成について、本発明の要旨と直接関連しない要素部分であっても、従前のカラオケシステムにおいても大部分が適用可能であることを示すために、構成要素の全体を説明する。
【００３１】
上記中央制御部２１は、このシステムを統括的に処理制御する物理的なＣＰＵであり、ＲＯＭ２２に記憶されているプログラムに基づくアルゴリズム処理を行う。上記ＲＡＭ２３は、予約待ち行列４１の記憶領域が形成される他に、上記種々のプログラムを展開、実行させるための作業領域としての役割をなすもので、例えば半導体メモリで構成され、仮想的にハードディスク上に構築される場合をも含む概念である。
【００３２】
上記映像表示制御手段２４は、カラオケモードの演奏時に映像ＤＢ５２より抽出された背景映像及び楽曲ＤＢ５１より抽出された楽曲の歌唱歌詞データ（色変え情報を含む）を表示部１３に出力し、また採点評価手段２８からの評価情報を表示部１３に出力するプログラム乃至電子回路である。また、ギター演奏モードの演奏時には、背景映像とともにタブ譜等のギター演奏支援情報（図示しない）を表示部１３に出力することが望ましい。
【００３３】
上記音楽演奏制御部２５は、例えばシーケンスプログラムを備え、楽曲データの音符データ（ＭＩＤＩ（登録商標であり、以下の記載を省略する）データ）に従って音源（シンセサイザ）２６を駆動するもので、当該音源２６の出力は演奏信号としてミキシングアンプ１４に出力される。
【００３４】
すなわち、カラオケモードの場合には、中央制御部２１の指令に基づきＲＡＭ２３の予約待ち行列４１に登録された楽曲（楽曲ＩＤ）の楽曲データを楽曲ＤＢ５１より抽出して再生する。また、ギター演奏モードの場合には、上記音符データのうち、ギター演奏に対応するギターパートを除いた、すなわちギターパートのノート情報の出力を停止する、いわゆるマイナスワン再生と称される技術（例えば特開２０１３−０４４７７７号公報参照）により演奏データを再生処理する。
【００３５】
上記音声信号入力部２７は、マイク１５から入力される音声信号をＡ／Ｄ変換する電子回路であり、Ａ／Ｄ変換した音声信号は採点評価手段２８に供される。
【００３６】
上記採点評価手段２８は、カラオケモード時には、歌唱音声の音量及び音高を検出して後述の楽曲ごとの主旋律のリファレンスデータ（ＭＩＤＩデータ）の少なくとも音高情報及び音量情報（歌唱タイミング情報を含ませてもよい）と比較することにより採点するもので、音声信号入力部２７でマイク１５から入力されＡ／Ｄ変換された音声信号を、歌唱採点するためのリファレンスＤＢ５３より読み出したリファレンスデータに基づいて採点処理を行い、また、ギター演奏モード時には、ギター演奏による弦毎の演奏データ（ＭＩＤＩデータ）の少なくとも音高情報及び演奏強度情報（後述する）と後述の弦毎のギターリファレンスＤＢ５４より読み出した当該楽曲データのリファレンスデータ（ＭＩＤＩデータ）とを比較して評価するプログラムである。具体的には、例えば特許第４２２２９１５号公報に記載されている手法を用いることができる。
【００３７】
上記送受信部２９は、遠隔入出力装置１７との間で有線方式ないし無線方式（ＩＲ方式やブルートゥース（登録商標）機構のピコネット接続方式など）を利用してデータ授受を行うためのもので、そのための電子回路及びプログラムである。
【００３８】
上記記憶部３０に記憶されている楽曲ＤＢ５１は、楽曲毎に、音符データ、歌唱歌詞データ（色変え情報を含む）などを格納する。演奏に関して、具体的には、楽曲ＩＤ、曲名及びアーチストＩＤ（アーチスト名）が関連付けられた楽曲テーブルを有し、楽曲毎に、楽曲ＩＤで管理される所定データ形式のカラオケ楽曲の演奏データ（例えば、ＭＩＤＩデータの形式の旋律パートの音符ごとの楽譜データ）等で構成される楽曲データ（ファイル）について当該楽曲ＩＤをファイル名としてそれぞれ格納したデータベースである。上記記憶部３０に記憶されている映像ＤＢ５２は、楽曲毎に応じた背景映像データについて楽曲ＩＤをファイル名としてそれぞれ格納したデータベースである。
【００３９】
上記記憶部３０に記憶されているリファレンスＤＢ５３は、楽曲ごとの主旋律の採点用のリファレンスデータ（ＭＩＤＩデータ）であって、上記楽曲ＤＢ５１に記憶されているカラオケ楽曲と当該カラオケ楽曲の歌唱区間に合わせた歌唱者による歌唱を評価、分析するための評価基準として用いられる少なくとも音高情報、音量情報（歌唱タイミングを含めてもよい）のリファレンスデータとを紐付けて記憶するデータベースである。
【００４０】
上記記憶部３０に記憶されているギターリファレンスＤＢ５４は、所定楽曲毎に一人の演奏者による単一パートのギター演奏を弦毎に評価するための採点用のギターリファレンスデータ（ＭＩＤＩデータ）であって、上記楽曲ＤＢ５１に記憶されているカラオケ楽曲と当該カラオケ楽曲のギター演奏区間に合わせたギター演奏を評価、分析するための評価基準として用いられる採点リファレンスデータとを紐付けて記憶するデータベースである。
【００４１】
上記ＭＩＤＩ形式のギターリファレンスデータは、ギター演奏に係る少なくとも音高情報及び演奏強度情報であり、音高情報は少なくともノート情報及びピッチベンド情報（ビブラートやチョーキングなどのためのピッチベンド情報を含めてもよいが、ここでは省略する）を含み、演奏強度情報は少なくともイニシャルベロシティ情報を含む。ここで、ノート情報とイニシャルベロシティ情報は、弦の弾き始めのノートオン情報から抽出される。ピッチベンド情報とは、ノートオンの音高に対する相対的な変化量（ｃｅｎｔ値）の情報であり、リアルタイムに連続する情報である。イニシャルベロシティ情報とは、弦が弾かれたときの強弱のパラメータの情報である。
【００４２】
具体的に図３に所定楽曲に対する一例が示される。ただし、演奏強度情報（イニシャルベロシティ、オフベロシティ）は割愛している。すなわち、図３に示すように、各弦（６弦）について、Ｍ（小節）−Ｂ（拍）−Ｔ（ｔｉｃｋ）を四分音符１つの時間分解能（ＴＰＱＮ（Ｔｉｍｅ  Ｐｅｒ  Ｑｕａｒｔｅｒ  Ｎｏｔｅ））を４８０として、ピッチベンド情報とノートオン及びノートオフのノート情報とが関連付けられたものである。
【００４３】
例えば、シーケンス処理において、［Ｍ−Ｂ−Ｔ］は、［０−０−０］から始まり、［１−１−２４０］であれば、２小節目の２拍目の［ｔｉｃｋ］が２４０、つまり拍の後半（八分音符２つの２番目の方）ということになる。一の具体例を示すと、第６弦では、［０−０−０００］において１小節目の１拍目の頭にＤ４の音高で八分音符の発生音となり、再び１拍目の後半［０−０−２４０］にＤ４の音高で八分音符の発生音となるものである。
【００４４】
なお、テンポが四分音符＝１２０であれば、理論上、１秒間に四分音符は２つ、つまり四分音符の長さは５００ｍｓｅｃとなり、［５００／４８０］で約１．０４ｍｓｅｃの精度で演奏できるということになることから、図３の時間軸を、［Ｍ−Ｂ−Ｔ］ではなく［ｍｓｅｃ］で表現することもできる。
【００４５】
図１に戻り、上記演奏情報入力部３１は、ここでの実施形態では、エレキ・ギター１８より弦毎に独立した信号の演奏情報、すなわち６弦ピックアップ信号のそれぞれを取得する電子回路乃至プログラムである。
【００４６】
上記演奏データ生成手段３２は、取得した演奏情報の各信号（６弦ピックアップ信号）に基づいて、少なくとも音高情報及び演奏強度情報を含むＭＩＤＩ形式の演奏データを弦毎に生成するもので、図４に示すように、６弦に対応するチャンネル１（ｃｈ１）〜チャンネル６（ｃｈ６）の独立したチャンネル毎の少なくとも音高及び演奏強度を検出するそれぞれの音高・演奏強度検出部７１と、これらそれぞれの音高・演奏強度検出部７１に対応してＭＩＤＩ形式の演奏データ（音符データ）を生成するそれぞれのデータ生成部７２を備える。各弦においては、それぞれ同時に複数の楽音は発生しないため、音高・演奏強度は単純な構成で容易にかつ十分な速度で検出でき、例えば、特開平０９−１２７９５１号公報に記載されている手法を用いることができる。当該各データ生成部７２で生成されるＭＩＤＩ形式の演奏データは、上記図３に示すＭＩＤＩ形式のギターリファレンスデータと同様の形式となり、音楽演奏制御部２５及び採点評価手段２８に供される。
【００４７】
そこで、図５に図１の遠隔入出力装置によるギター演奏のモード選択に関する説明図を示すと共に、図６にギター演奏に対する評価等の機能説明図を示し、図７にギター演奏に対する採点評価の一例の説明図を示し、図８にギター演奏に対する評価表示の一例の説明図を示す。まず、利用者が遠隔入出力装置１７において楽曲選曲を選択すると選曲楽曲登録手段１７Ａが実行され、図５（Ａ）に示すように、モード選択の画面がリモコン表示部１７Ｃ上に表示される。利用者がカラオケモードを選択した場合には、従前のカラオケ装置と同様であり、説明を省略する。
【００４８】
利用者がギター演奏モードを選択すると、従前と同様の楽曲選曲画面が表示されて利用者が一の楽曲を候補とした画面が図５（Ｂ）のように表示される。当該楽曲をギター演奏対象の楽曲とすると、「演奏開始」の操作ボタン１７Ｄがクリックされることで、選曲された楽曲の楽曲ＩＤと共にギター演奏モードの情報信号がカラオケ本体１２に送信される。当該「演奏開始」の操作ボタン１７Ｄの操作が利用者の楽曲演奏開始の指示となる。
【００４９】
楽曲演奏開始の指示に応じて、音楽演奏制御部２５が記憶部３０の楽曲ＤＢ５１より当該楽曲のカラオケ演奏データを読み出し、採点評価手段２８が記憶部３０のギターリファレンスＤＢ５４より当該楽曲のギターリファレンスデータを読み出す。
【００５０】
楽曲の演奏が開始されると、図６に示すように、音楽演奏制御部２５はカラオケ演奏データからギター演奏に対応するギターパートを除いた音符データで音源２６を駆動する。同時に、演奏情報入力部３１がエレキ・ギター１８より６チャンネルピックアップ信号を入力し、当該信号を演奏データ生成手段３２に供給する。演奏データ生成手段３２では、６チャンネルピックアップ信号に基づいて、弦毎に上記音高情報及び演奏強度情報を含むＭＩＤＩ形式の演奏データ（音符データ）を弦毎に生成し、当該ＭＩＤＩ形式の演奏データ（音符データ）を音楽演奏制御部２５及び採点評価手段２８に送出する。すなわち、音楽演奏制御部２５は、カラオケ演奏データのギターパートを除く音符データと演奏データ生成手段３２により取得したエレキ・ギター１８の演奏データ（音符データ）とに基づいて音源２６を駆動する。演奏データにより音源２６を駆動する際に、弦毎に独立した６チャンネルで音源２６の６パートを駆動してもよいし、６チャンネルの演奏データを１チャンネルのデータにマージした後、音源２６の１パートのみを駆動しても良い。いずれの場合においても、予めカラオケ演奏データでギターパートのために用意されたチャンネル数と同じであれば、音色、音量、エフェクトのタイプなどの設定をそのまま使用することができ、音源２６に対する設定が不要となる。なお、カラオケ演奏データのうち少なくともギター演奏がオーディオ録音（生音）の場合には、ＭＩＤＩ音源にはギターパートが設定されないことから、個別に設定情報（音色番号、音量、エフェクトのタイプなど）を入力する必要がある。
【００５１】
一方、採点評価手段２８では、演奏データ生成手段３２より取得しＭＩＤＩ形式の演奏データ（音符データ）と読み出したギターリファレンスデータとを比較して採点処理をしていく。例えば、図７に示すように、第１弦から第６弦のそれぞれについて、楽曲の演奏区間毎（例えば区間１〜区間１０とする）に採点処理を行い、演奏区間毎の区間採点値より合計採点値を算出すると共に、弦毎の採点値を算出する。
【００５２】
そして、採点の結果を表示部１３（遠隔入出力装置１７のリモコン表示部１７Ｃにも表示させてもよい）に表示させるもので、例えば図８に示すように、合計採点値と共に、アドバイスとして例えば弦毎採点値を基にして「第２弦の弾き方をもう少し練習しましょう」のように表示するものである。
【００５３】
ところで、エレキ・ギター１８を図２（Ｂ）に示す構成のものを使用することとしてもよい。すなわち、図示しないが、エレキ・ギター１８より第２検出手段６３、つまり一般的なエレキ・ギターのピックアップで検出された複数の各弦の楽音信号が混在した楽音信号を出力端子から接続してミキシングアンプ１４に入力させもので、音楽演奏制御部２５ではカラオケ演奏データからギターパートを除いた音符データのみで音源２６を駆動してミキシングアンプ１４に出力させ、当該ミキシングアンプ１４においてエレキ・ギター１８からの楽音信号をミキシングしてスピーカ１６より放音させるものである。この場合、演奏データ生成手段３２で生成されたＭＩＤＩ形式の演奏データ（音符データ）は採点評価手段２８のみに供される。
【００５４】
このように、エレキ・ギター１８からの演奏情報が弦毎に独立した信号（６弦ピックアップ信号）に基づいて演奏を比較評価することから、ギター演奏に対して異なる弦で演奏された同一音高の楽音信号を正確に識別し判定することが可能となり、簡易な構成で精度の高い演奏評価を実現することができるものであり、ＭＩＤＩデータの出力可能な電子ギターや演奏データ生成装置を用いたギターシステムでなくともよく、より多くのギターを利用可能とすることができるものである。
【００５５】
また、比較評価の要素として音高情報のノート情報及びピッチベンド情報、並びに演奏強度情報のイニシャルベロシティ情報を含ませることで、特にピッチベンド情報によってギターに特有のチョーキングなどの演奏情報を伝えるのに好適であり、弦毎のピッチベンド情報でより正確にギターシステムの演奏情報を伝えることができるものである。
【００５６】
次に、図９に他の機能を備えるエレキ・ギターが用いられる場合に対応するカラオケ装置の他の実施形態の構成図を示すと共に、図１０に図９のエレキ・ギターによるギター演奏に対する評価等の機能説明図を示す。図９（Ａ）は、図２（Ｂ）に示す構成のエレキ・ギター１８が使用される場合を示し、図９（Ｂ）は、図２（Ａ）に示す構成のエレキ・ギター１８が使用される場合を示している。
【００５７】
図９（Ａ）において、演奏データ生成装置１９が設けられ、当該演奏データ生成装置１９及び図２（Ｂ）に示すエレキ・ギター１８によりギターシステムが構成される。上記演奏データ生成装置１９は、エレキ・ギター１８より６弦ピックアップ信号を取得し、これに基づいて少なくとも音高情報及び演奏強度情報を含むＭＩＤＩ形式の演奏データを弦毎に生成してカラオケ装置１１に出力する装置であり、図４に示す構成と同様の構成を備える。一方で、カラオケ装置１１では図１に示す演奏データ生成手段３２は不要となる。当該演奏データ生成装置１９は、既存のものであり、例えばローランド社製の型番「ＧＲ−５５」の音源モジュールを使用することができる。
【００５８】
すなわち、エレキ・ギター１８より第２検出手段６３でピックアップされた複数の各弦の楽音信号が混在した楽音信号を出力端子からミキシングアンプ１４に接続して入力させ、カラオケ装置１１では演奏データ生成装置１９より弦毎のＭＩＤＩ形式の演奏データ（音符データ）を演奏情報入力部３１に入力させるものである。
【００５９】
また、図９（Ｂ）においても演奏データ生成装置１９が設けられて図２（Ａ）に示すエレキ・ギター１８によりギターシステムを構成するものであり、当該演奏データ生成装置１９は、装置内で生成したＭＩＤＩ形式の演奏データ（音符データ）で駆動する音源１９Ａを備える構成である。この場合においても、上記同様に、カラオケ装置１１では図１に示す演奏データ生成手段３２は不要となる。当該音源１９Ａからは、複数の各弦の楽音信号が混在した楽音信号が出力される。
【００６０】
すなわち、演奏データ生成装置１９は、音源１９Ａから各弦の楽音信号が混在した楽音信号をミキシングアンプ１４に入力させ、生成した弦毎のＭＩＤＩ形式の演奏データ（音符データ）をカラオケ装置１１の演奏情報入力部３１に入力させるものである。
【００６１】
上記図９（Ａ）、（Ｂ）の形態について、カラオケ装置１１での処理は同様である。すなわち、図１０に示すように、音楽演奏制御部２５ではカラオケ演奏データからギターパートを除いた音符データのみで音源２６を駆動してミキシングアンプ１４に出力させ、当該ミキシングアンプ１４においてエレキ・ギター１８からの楽音信号をミキシングしてスピーカ１６より放音させるものである。一方、採点評価手段２８では、演奏データ生成装置１９より取得したＭＩＤＩ形式の演奏データ（音符データ）と読み出したギターリファレンスデータとを比較して採点処理をしていくものである。
【００６２】
このように、演奏データ生成装置１９より弦毎のＭＩＤＩ形式の演奏データ（音符データ）を入力させて採点評価することにより、上記同様に、ギター演奏に対して異なる弦で演奏された同一音高の楽音信号を正確に識別し判定することが可能となり、簡易な構成で精度の高い演奏評価を実現することができるものである。
【００６３】
また、ギターシステム（図９（Ａ）のエレキ・ギター１８及び図９（Ｂ）の演奏データ生成装置１９）より出力される楽音信号をカラオケ演奏信号とミキシングアンプ１４で混合してスピーカ１６より放音させることから、当該ギターが複数の各弦の楽音信号の混在した楽音信号を出力可能であれば、放音させるための再生の処理を軽減させることができるものである。
【００６４】
ところで、上記実施形態は、最も一般的な６弦を有するエレキ・ギターを用いた場合を示したが、これに限定されるものではなく、４弦を有するエレキ・ベースや、他の弦楽器、例えばバイオリンやチェロなどにデバイデッド・ピックアップを装着した電気弦楽器全般に適用可能である。
【産業上の利用可能性】
【００６５】
本発明のギターカラオケ採点機能を備えるカラオケ装置は、カラオケの基本的機能を備えたカラオケ用の装置の製造、使用、販売等の産業に利用可能である。
【符号の説明】
【００６６】
１１            カラオケ装置
１２            カラオケ本体
１３            表示部
１７            遠隔入出力装置
１７Ａ          選曲楽曲登録手段
１７Ｂ          モード選択手段
１７Ｃ          リモコン表示部
１８            エレキ・ギター
１９            演奏データ生成装置
２５            音楽演奏制御部
２６            音源
２８            採点評価手段
３１            演奏情報入力部
３２            演奏データ生成手段
５４            ギターリファレンスデータベース
６２            第１検出手段
６３            第２検出手段
７１            音高・演奏強度検出部
７２            ＭＩＤＩデータ生成部
【図１】
0006587396.tif 000002
【図２】
0006587396.tif 000003
【図３】
0006587396.tif 000004
【図４】
0006587396.tif 000005
【図５】
0006587396.tif 000006
【図６】
0006587396.tif 000007
【図７】
0006587396.tif 000008
【図８】
0006587396.tif 000009
【図９】
0006587396.tif 000010
【図１０】
0006587396.tif 000011